(57)【要約】【課題】  表面のみならず裏面についても非秘匿情報の記載エリアとして確保することを可能にしつつ、秘匿情報についても十分な記載エリアを確保することができる実用的な情報カードを提供する。【解決手段】  シート基材１の折り曲げ線１０を挟んだ一方の側である第一の片部１１の表面に第一の接着層２が付着し、他方の側である第二の片部１２の表面に第二の接着層が付着し、第一の接着層２と第二の接着層６の間に擬似接着層４が設けられている。第一の接着層２と擬似接着層４の間に第一の中間層３が介在し、第二の接着層６と擬似接着層４の間に第二の中間層５が介在しており、擬似接着層４は、人の力により第一の片部１１と第二の片部１２が分離することができる程度の接着力であって一度分離した後は再び接着することができない接着力を有する。第一の片部１１の表面、第二の片部１２又はその両方には、秘匿すべき情報の記載欄１１０，１２０が設けられている。【選択図】  図２
2013000915.tif 000002
【特許請求の範囲】
【請求項１】
シート基材を折り曲げ線で折り曲げて閉じた構造の情報カードであって、
シート基材のうちの折り曲げ線の一方の側である第一の片部の表面に付着している第一の接着層と、
シート基材のうちの折り曲げ線の他方の側である第二の片部の表面に付着している第二の接着層と、
第一の接着層と第二の接着層との間に介在している擬似接着層と、
第一の接着層と擬似接着層との間に介在しているか、又は第二の接着層と擬似接着層との間に介在している中間層と
より成る断面構造を有しており、
擬似接着層は、第一の片部と第二の片部とを分離させて開いた状態にしようとした際、人の力により第一の片部と第二の片部とが分離することができる程度の接着力であって一度分離した後は再び接着することができない接着力を有するものであり、
第一の片部の第二の片部に対向する表面、第二の片部の第一の片部に対向する表面又はその両方には、秘匿すべき情報欄が設けられていることを特徴とする情報カード。
【請求項２】
折り曲げる前の前記シート基材の形状は長方形であって、前記折り曲げ線は前記シート基材の中央に設定されていて中央で半分に折り曲げられており、且つ前記折り曲げ線は長方形の短辺の方向に沿ったものであることを特徴とする請求項１記載の情報カード。
【請求項３】
折り曲げた後の前記シート基材の形状も長方形であって、前記折り曲げ線は、折り曲げた後の長方形の短辺の方向に沿って延びるよう設定されていることを特徴とする請求項２記載の情報カード。
【請求項４】
情報カードを提供するために製作される情報カードシートであって、台シートと、台シート内に作り込まれたカード素材とより成り、
カード素材は、台シートをくり抜くことで台シートから分離できるよう台シートに対して人の力で破断可能な保持部を介して台シートに保持されており、
カード素材は、
折り曲げ線で折り曲げて閉じることができるシート基材と、
シート基材のうちの折り曲げ線の一方の側である第一の片部に形成された積層体と、
積層体を覆った剥離シートと
より成るものであり、
積層体は、シート基材の第一の片部に近い側から順に、第一の接着層と、擬似接着層と、第二の接着層とから成るものであって、第一の接着層と擬似接着層の間又は擬似接着層と第二の接着層の間には中間層が形成されたものであり、
剥離シートは、第二の接着層による接着力を保持しつつ人の手で剥離可能なものであり、
擬似接着層は、剥離シートを剥がしてシート基材を折り曲げ線で折り曲げて閉じることで第二の接着層をシート基材の折り曲げ線の他方の側である第二の片部に付着させて接着した後、再びシート基材を開いた状態にしようとした際、人の力で中間層から分離する程度の接着力であって一度分離した後は再び中間層と接着することができない接着力を有するものであり、
シート基材の積層体を形成した側の表面のうち前記第二の片部の表面には、秘匿すべき情報の記載欄が設けられていることを特徴とする情報カードシート。
【請求項５】
前記シート基材の形状は長方形であって、前記折り曲げ線は前記シート基材の中央に設定されていて中央で半分に折り曲げ可能となっており、且つ前記折り曲げ線は長方形の短辺の方向に沿ったものであることを特徴とする請求項４記載の情報カードシート。
【請求項６】
前記シート基材は、前記折り曲げ線で折り曲げた後も長方形となる形状であって、前記折り曲げ線は、折り曲げた後の長方形の短辺の方向に沿って延びるよう設定されていることを特徴とする請求項５記載の情報カードシート。
【請求項７】
前記台シートには、台シートを折り曲げるための台シート折り曲げ線が形成されており、台シート折り曲げ線は、前記シート基材に形成された折り曲げ線と同一線上に延びていることを特徴とする請求項４乃至６いずれかに記載の情報カードシート。
【請求項８】
請求項７に記載の情報カードシートを使用したカード素材送付方法であって、
前記台シート折り曲げ線で台シートを折り曲げるとともに前記折り曲げ線で前記シート基材を折り曲げ、この状態で情報カードシートを封筒に封入して送付することを特徴とするカード素材送付方法。
【発明の詳細な説明】
【技術分野】
【０００１】
本願の発明は、健康保険証や各種会員カード、社員証等の情報カードに関するものである。
【背景技術】
【０００２】
現代は情報化社会の時代であり、何らかの情報を記載したカードを持ち歩いて生活することが避けられない時代である。例えば、健康保険証や免許証、社員証、学生証等の身分証になり得るカード、各種会員カードや病院の診察券、販売促進用のポイントカード等、多種多様なカードを保持しており、必要に応じて持ち歩いている。
これら情報カードには、個人を特定する情報の他、秘匿とされるべき情報が記載されることがある。例えば、臓器提供の意志の有無については、従来は臓器提供カードに記載して保持していたが、臓器提供機会の拡大を図るため、健康保険証の裏面に記載して保持することができるよう臓器移植法等の関係法令が改正されている。健康保険証は、病院での診察等の際に提示する必要があるので、裏面に記載した臓器提供意志有無の情報が第三者に容易に見られてしまうという問題がある。このため、健康保険組合等では、第三者に見られるのが嫌な場合には、いわゆる目隠しシールの使用を勧めている。目隠しシールは、個人情報等を葉書に書いて郵送に郵送する際に多用されているもので、上から貼り付けて記載内容を隠すことはできるものの、一度剥がすと二度とは貼り付けができないシール（途中でシールを不正に剥がしたことが判明してしまうシール）である。裏面に臓器提供意志有無を記載した上で目隠しシールを貼り付けて普段は見えないようにしておき、万が一、その者が脳死状態に陥った場合、親族によって目隠しシールを剥がしてもらい、臓器提供意志有りであった場合に限り臓器移植手術を行うという使い方がされることになっている。
【先行技術文献】
【特許文献】
【０００３】
【非特許文献１】http://www.kyoukaikenpo.or.jp/news/detail.1.47567.html, 「健康保険証（被保険者証）の裏面の臓器提供意志表示欄の変更について」
【発明の概要】
【発明が解決しようとする課題】
【０００４】
上記のように、情報カードに秘匿情報を記載して保持する場合、目隠しシールで覆うことで秘匿状態を維持することができる。しかしながら、情報カードの中には、カードの表面のみならず裏面についても必要な情報（非秘匿情報）を記載する箇所として確保されている場合が多く、秘匿情報の記載箇所には使用できない場合が多い。例えば、国民健康保険の保険証では、裏面には注意書きが細かく全面に記載されており、臓器提供意志の有無を記載する欄を設けることは難しい。仮に、臓器提供意志の記載欄を設けた場合、裏面を目隠しシールで覆ってしまうと、注意書きの欄までもが見えなくなってしまう。
本願の発明は、このような課題を解決するために為されたものであり、秘匿情報を記載して保持することができる情報カードであって、表面のみならず裏面についても非秘匿情報の記載エリアとして確保することを可能にしつつ、秘匿情報についても十分な記載エリアを確保することができる実用的な情報カードを提供する技術的意義を有するものである。
【課題を解決するための手段】
【０００５】
上記課題を解決するため、本願の請求項１記載の発明は、シート基材を折り曲げ線で折り曲げて閉じた構造の情報カードであって、
シート基材のうちの折り曲げ線の一方の側である第一の片部の表面に付着している第一の接着層と、
シート基材のうちの折り曲げ線の他方の側である第二の片部の表面に付着している第二の接着層と、
第一の接着層と第二の接着層との間に介在している擬似接着層と、
第一の接着層と擬似接着層との間に介在しているか、又は第二の接着層と擬似接着層との間に介在している中間層と
より成る断面構造を有しており、
擬似接着層は、第一の片部と第二の片部とを分離させて開いた状態にしようとした際、人の力により第一の片部と第二の片部とが分離することができる程度の接着力であって一度分離した後は再び接着することができない接着力を有するものであり、
第一の片部の第二の片部に対向する表面、第二の片部の第一の片部に対向する表面又はその両方には、秘匿すべき情報の記載欄が設けられているという構成を有する。
また、上記課題を解決するため、請求項２記載の発明は、前記請求項１の構成において、折り曲げる前の前記シート基材の形状は長方形であって、前記折り曲げ線は前記シート基材の中央に設定されていて中央で半分に折り曲げられており、且つ前記折り曲げ線は長方形の短辺の方向に沿ったものであるという構成を有する。
また、上記課題を解決するため、請求項３記載の発明は、前記請求項２の構成において、折り曲げた後の前記シート基材の形状も長方形であって、前記折り曲げ線は、折り曲げた後の長方形の短辺の方向に沿って延びるよう設定されているという構成を有する。
また、上記課題を解決するため、請求項４記載の発明は、情報カードを提供するために製作される情報カードシートであって、台シートと、台シート内に作り込まれたカード素材とより成り、
カード素材は、台シートをくり抜くことで台シートから分離できるよう台シートに対して人の力で破断可能な保持部を介して台シートに保持されており、
カード素材は、
折り曲げ線で折り曲げて閉じることができるシート基材と、
シート基材のうちの折り曲げ線の一方の側である第一の片部に形成された積層体と、
積層体を覆った剥離シートと
より成るものであり、
積層体は、シート基材の第一の片部に近い側から順に、第一の接着層と、擬似接着層と、第二の接着層とから成るものであって、第一の接着層と擬似接着層の間又は擬似接着層と第二の接着層の間には中間層が形成されたものであり、
剥離シートは、第二の接着層による接着力を保持しつつ人の手で剥離可能なものであり、
擬似接着層は、剥離シートを剥がしてシート基材を折り曲げ線で折り曲げて閉じることで第二の接着層をシート基材の折り曲げ線の他方の側である第二の片部に付着させて接着した後、再びシート基材を開いた状態にしようとした際、人の力で中間層から分離する程度の接着力であって一度分離した後は再び中間層と接着することができない接着力を有するものであり、
シート基材の積層体を形成した側の表面のうち前記第二の片部の表面には、秘匿すべき情報の記載欄が設けられているという構成を有する。
また、上記課題を解決するため、請求項５記載の発明は、前記請求項４の構成において、前記シート基材の形状は長方形であって、前記折り曲げ線は前記シート基材の中央に設定されていて中央で半分に折り曲げ可能となっており、且つ前記折り曲げ線は長方形の短辺の方向に沿ったものであるという構成を有する。
また、上記課題を解決するため、請求項６記載の発明は、前記請求項５の構成において、前記シート基材は、前記折り曲げ線で折り曲げた後も長方形となる形状であって、前記折り曲げ線は、折り曲げた後の長方形の短辺の方向に沿って延びるよう設定されているという構成を有する。
また、上記課題を解決するため、請求項７記載の発明は、前記請求項４乃至６いずれかの構成において、前記台シートには、台シートを折り曲げるための台シート折り曲げ線が形成されており、台シート折り曲げ線は、前記シート基材に形成された折り曲げ線と同一線上に延びているという構成を有する。
また、上記課題を解決するため、請求項８記載の発明は、請求項７に記載の情報カードシートを使用したカード素材送付方法であって、
前記台シート折り曲げ線で台シートを折り曲げるとともに前記折り曲げ線で前記シート基材を折り曲げ、この状態で情報カードシートを封筒に封入して送付するという構成を有する。
【発明の効果】
【０００６】
以下に説明する通り、本願の請求項１記載の発明によれば、折り曲げ線で折り曲げて閉じた内側面に秘匿情報が記載されており、一回に限り開いてみることができるので、カードの裏面については従来通りの非秘匿情報の記載用に使用することができる。即ち、非秘匿情報の記載エリアを減らすことなく情報カードに秘匿情報の保持の機能を持たせることができる。
また、請求項２記載の発明によれば、上記効果に加え、また、折り曲げ線が折り曲げ前のシート基材の長方形の短辺の方向に沿ったものであり、折り曲げ線の長さが短いので、折り曲げミスが少なくなる。
また、請求項４記載の発明によれば、上記効果に加え、台シートをくり抜くことでカード素材が台シートから分離されるので、秘匿情報の記載が容易で、且つ構造も簡単にできる。
また、請求項６記載の発明によれば、折り曲げ後のシート基材の短辺の方向に沿って折り曲げ線が設定されており、カート素材がかなり細長いものになる。したがって、定型封筒に入れられる台シートの幅よりも十分に狭い幅のカード素材とすることができる。このため、幅方向で大きなマージンを取ることができ、印刷機のタイプで制約を受けることが無くなる。
また、請求項８記載の発明によれば、上記効果に加え、カード素材が折り曲げられた状態で封入されて送付されると、折ぐせがついた状態で提供されることになる。このため、送付された者においてカード素材が折り曲げ易く、折り曲げのミスによりカードの端がずれて貼り合わされてしまうことが無くなる。
【図面の簡単な説明】
【０００７】
【図１】本願発明の実施形態に係る情報カードの概略構成を示した図であり、（１）は斜視概略図、（２）は正面断面概略図である。
【図２】図１に示す情報カードを開いた状態の斜視概略図である。
【図３】本願発明の実施形態に係る情報カードシートの斜視概略図であり、（１）は表側、（２）は裏側を示している。
【図４】図３に示す情報カードシートの主要部の正面断面概略図である。
【図５】本願発明のカード素材送付方法の発明について示した斜視概略図である。
【図６】図３及び図４に示す情報カードシートの製作方法について模式的に示した斜視図である。
【図７】本願発明の他の実施形態に係る情報カードシートの斜視概略図である。
【図８】本願発明の他の実施形態の情報カードの断面概略図である。
【発明を実施するための形態】
【０００８】
次に、本願発明を実施するための形態（以下、実施形態）について説明する。
図１は、本願発明の実施形態に係る情報カードの概略構成を示した図であり、図１（１）は斜視概略図、図１（２）は正面断面概略図、図２はカードを開いた状態の斜視概略図である。
図１及び図２に示す情報カードは、一例として健康保険証となっているが、本願発明はこれに限られるものではない。図１に示す情報カードは、必要な情報が印刷又は記載されたシート基材１より成るものである。この情報カードの大きな特徴点は、シート基材１を折り曲げ線１０で折り曲げて閉じた構造のカードとなっている点である。
【０００９】
「シート基材」とは、シート状のカードの基になる材料という程度の意味である。シート基材１としては、本実施形態では、ＰＥＴ（ポリエチレンテレフタレート）やＰＥ（ポリエチレン）のような樹脂製のものが使用されている。紙でも良いが、耐久性や耐水性等を考慮している。紙製のシートに樹脂等で保護コーティングしてシート基材１とすることもできる。
図１に示すように、情報カードは全体としては長方形である。シート基材１も長方形であり、図２に示すように、折り曲げ線１０は、中心を通るとともに短辺の方向に沿って延びるよう設定されている。シート基材１を折り曲げ線１０に沿って曲げて閉じると、図１に示す情報カードが得られるようになっている。尚、折り曲げ線１０は、シート基材１をブレス等によって部分的に厚さを薄くして（溝を形成して）折れやすくした線である。
図１（１）に示すように、情報カードの表面には、非秘匿情報が印刷されている。この例は健康保険証であるので、被保険者の氏名や保険者番号等が印刷されている。また、図示は省略されているが、情報カードの裏面には、注意書きが詳細に印刷されている。
【００１０】
このような情報カードは、秘匿情報を折り曲げて隠した内側の面に記載するようになっている。そして、秘匿情報を一回に限って見られるようにするため、折り曲げて閉じたシート基材１の内側面を擬似接着層で接着した構造となっている。この点を、図１（２）を使用して説明する。
説明の都合上、シート基材１のうち、折り曲げ線１０の一方の側の部分１１を「第一の片部」と呼び、他方の側の部分１２を「第二の片部」と呼ぶ。即ち、本実施形態の情報シートは、シート基材１の第一の片部１１と第二の片部１２とを貼り合わせたものとなっている。図１（２）に示すように、本実施形態の情報シートは、第一の片部１１の側から順に、第一の接着層２、第一の中間層３、擬似接着層４、第二の中間層５、第二の接着層６が形成された多層の断面構造を有している。
【００１１】
第一の接着層２は、第一の片部１１と第一の中間層３とを接着している。第二の接着層６は、第二の片部１２と第二の中間層５とを接着している。第一の中間層３及び第二の中間層５は、擬似接着が解除された際に第一第二の接着層２，６が露出しないように覆ったもので、擬似接着層４による擬似接着の直接の対象である。
第一第二の各中間層３，５は、情報カードを開いた際に内側面の記載情報が読めないと困るので、透明な材質のものが採用される。具体的には、ＰＥＴやＰＥ等の薄い樹脂フィルムである。第一第二の各接着層２，６や擬似接着層４も、透明な材質のものが採用される。
【００１２】
擬似接着層４は、低下させた接着力を有する層であり、一度剥がすと二度とは貼り付けることができない接着力の層である。このような擬似接着層４の材料としては、各社から提案されているが、天然ゴム、合成ゴム等のゴム系粘着材に微粒子を分散させて接着力を低下させたものが使用でき、微粒子としては例えば合成微粒子シリカ等が使用できる。
第一第二の各接着層２，６としては、通常の接着力を有するものが採用される。ゴム系、アクリル系の各種粘着剤、エポキシ系接着剤等の各種接着材が適宜使用できる。第一第二の各接着層２，６は、擬似接着層４に比べて十分に接着力が高くなっている。
【００１３】
このような情報カードの内側面には、秘匿すべき情報が記載されている。内側面とは、第一の片部１１の第二の片部１２に対向する表面（以下、第一の内側面）１１０、第二の片部１２の第一の片部１１に対向する表面（以下、第二の内側面）１２０である。秘匿情報の例としては、前述した臓器提供意志の有無が挙げられる。秘匿情報は、第一の内側面１１０のみに記載されていても良いし、第二の内側面１２０のみに記載されていても良いし、双方の内側面１１０，１２０に記載されていても良い。この例では、第二の内側面１２０に秘匿情報の記載欄が設けられており、第一の内側面１１０には、秘匿情報の記載についての説明が印刷されている。具体的には、臓器提供意志の場合、臓器提供意志に関する説明情報が第一の内側面１１０に記載され、第二の内側面１２０に臓器提供意志の記載欄が設けられている。情報カードの保有者は、記載欄に自筆にて臓器提供意志の有無を記載する。
【００１４】
このような情報カードも、通常の使用の際には従来と同様に使用する。そして、何らかの理由で秘匿情報を見る必要が生じた場合、図２に示すように、シート基材１を開く。前述したように、擬似接着層４は弱い接着力の層であるので、第一の片部１１の端と第二の片部１２の端とをつまんで開くようにすると、人の手でも容易に開くことができる。この結果、内側面に記載されている秘匿情報を見ることができる。
この際、図２に拡大して示すように、第一の片部１１の上には第一の接着層２とその上に接着された第一の中間層３が残り、第二の片部１２の上には第二の接着層６とその上に接着された第二の中間層５とが残る。第一第二の各中間層３，５及び第一第二の各接着層２，６はいずれも透明であるので、内側面１１０，１２０に記載された秘匿情報が読みづらくなることはない。
【００１５】
擬似接着層４は、第一第二のいずれかの中間層３，５に付着した状態となる。具体的には、第一第二の中間層３，５のうち、擬似接着層４との接着力が弱い方について擬似接着が解除される。図２に示す例では、第一の中間層３に付着した状態となっている。第一の第二の中間層５として同じ材質を使用しているといずれの擬似接着が解除されるか不安定になるので、異なる材料とし、意図的に一方の中間層について擬似接着が弱くなるようにしておくと好適である。情報カードを開いた後は、擬似接着層４は露出した状態となるので、擬似接着層４は擬似接着が解除された後は手で触ってもベトつかないものとすることが好ましい。
【００１６】
また、図２に示すように、折り曲げ線１０は、シート基材１が成す長方形の短辺の方向に沿ったものとなっている。この点は、折り曲げミスが少なくなるという長所がある。長方形の長辺の方向に沿って折り曲げ線１０を設定しても良いのであるが、折り曲げ線１０が長くなるので、折り曲げの際、線に沿って真っすぐ折れないミスが発生し易く、端と端がずれて貼り合わされてしまったり、歪んで貼り合わされてしまったりすることになり易い。短辺の方向に沿って折り曲げ線１０を設定しておくと、このようなミスは少ない。
【００１７】
次に、上記のような構成及び作用に係る情報カードを提供する情報カードシートの発明の実施形態について、図３及び図４を使用して説明する。図３は、本願発明の実施形態に係る情報カードシートの斜視概略図であり、図３の（１）は表側、（２）は裏側を示している。図４は、図３に示す情報カードシートの主要部の正面断面概略図である。
図３に示す情報カードシートは、情報カードを提供するために製作されるものであり、台シート７１と、台シート７１内に作り込まれたカード素材７２とより成っている。台シート７１は、本実施形態では紙製であり、いわゆる台紙である。台シート７１は、情報カードの提供のためにカード素材７２を保持するものであり、台シート７１ごとカード素材７２が提供先に送付されるものである。
【００１８】
図３に示すように、台シート７１は、全体としては細長い長方形の形状である。カード素材７２は、保持部を介して台シート７１に保持されており、台シート７１と面一の状態である。保持部は、本実施形態では、カード素材７２の輪郭に沿って形成されたミシン目７３となっている。このミシン目７３を切り離すことで、台シート７１からカード素材７２を取り外すことができるようになっている。
また、図３に示すように、台シート７１には、折り曲げ線（以下、台シート折り曲げ線）７４が形成されている。台シート折り曲げ線７４は、カード素材７２の折り曲げ線１０と同一線上に延びるよう形成されている。台シート折り曲げ線７４も、線状にプレスして部分的に厚さの薄い部分（溝）を形成したものである。
【００１９】
図３（２）に示すように、情報カードシートの裏側には剥離シート７５が貼られており、情報カードシートを部分的に覆っている。剥離シート７５は、カード素材７２の折り曲げ線１０の一方の側半分を完全に覆うよう設けられている。剥離シート７５は、カード素材７２の一方の側半分よりも少し大きく、周囲の台シート７１の部分まではみ出している。剥離シート７５は、シールにおける剥離紙等と同様で、低下させた接着力でカード素材７２及び台シート７１の裏面に接着されているものである。尚、図３（２）に示すように、ミシン目７３の加工は、剥離シート７５についても施されている。
【００２０】
カード素材７２は、図１に示す情報カードを開いた状態のものに相当している。但し、まだ提供されていないものであり、したがって、まだ一度も閉じられておらず、秘匿情報も記載されていないものである。
より具体的に説明すると、図４に示すように、カード素材７２は、折り曲げ線１０で折り曲げて閉じることができるシート基材１と、シート基材１のうちの折り曲げ線１０の一方の側に形成された積層体１３より成るものである。図３及び図４から解るように、積層体１３が設けられた側は、剥離シート７５が設けられた側であり、積層体１３が剥離シート７５で覆われた構造となっている。尚、図４は、理解を容易にするために模式的に描かれており、実際の厚さの割合を反映させて描かれたものではない。
積層体１３は、図１（２）に示す断面構造と同様であり、シート基材１（この例では第二の片部１２）の上に、第二の接着層６、第二の中間層５、擬似接着層４、第一の中間層３、第一の接着層２を積層して成るものである。図４は、裏面を上に向けて配置された状態が描かれており、したがって、図１（２）に示すものとは、各層の配置が逆になる。各層の目的、具体的材質は、前述した情報カードの発明の実施形態の場合と同様なので、詳しい説明は省略する。
【００２１】
このような情報カードシートから情報カードを得る方法について、以下に説明する。
まず、ミシン目７３を切り離し、台シート７１から剥離シート７５ごとカード素材７２を取り外す。そして、シート基材１の裏面のうち、剥離シート７５で覆われていない他方の側半分に秘匿情報を記載する。そして、剥離シート７５を剥がし、シート基材１を折り曲げ線１０の部分で二つに折り曲げて閉じる。剥離シート７５を剥がすと、第二の接着層６が露出し、折り曲げて閉じると、第二の接着層６がシート基材１の他方の側半分に押し付けられ、第二の中間層５と当該他方の側半分とを接着する。これにより、内部に外側から見えないようにして秘匿情報が記載された情報カードが得られたことになる。
【００２２】
次に、カード素材送付方法の発明について、図５を使用して説明する。図５は、本願発明のカード素材送付方法の発明について示した斜視概略図である。この実施形態の方法は、図３及び図４に示す情報カードシートを使用してカード素材を送付する方法である。
この方法では、上述したような構成を情報カードシート１００を製作する。この際、図５に示すように、台シート７１の表面には、図５に示すように送付先の住所、氏名がされる。
そして、図５に示すように、台シート折り曲げ線７４の部分で台シート７１を曲げるとともに、折り曲げ線１０の部分でシート基材１を折り曲げる。当然ながら、折り曲げの向きは同じである。
【００２３】
この状態で、情報カードシート１００を定型封筒８に入れる。この例では、定型封筒８は、開口に透明フィルムを貼り付けた透明部８１を有しており、住所や氏名はこの透明部８１に位置するよう印刷される。このように情報カードシート１００を折り曲げて定型封筒８に封入した後、郵送又は宅配便等の方法により送付する。
情報カードシート１００が送付された者（健康保険証であれば被保険者）は、封筒を開けて情報カードシート１００を取り出す。そして、ミシン目７３を破断してカード素材７２を台シート７１から取り外す。その後、必要に応じて内側面に秘匿情報を記載するとともに、剥離シート７５を剥がす。そして、折り曲げ線１０で二つに折り曲げて貼り合わせる。これにより、情報カードが得られる。尚、剥離シート７５の一部（はみ出し部分）は、台シート７１に残った状態となる。
【００２４】
次に、上記のような情報カードシートの製作方法について補足して説明する。図６は、図３及び図４に示す情報カードシートの製作方法について模式的に示した斜視図である。
情報カードシート１００は、台シート７１及びシート基材１に所定の事項を印刷することで製作される。台シート７１は、図６に示すように、帯状の長い台シート素材９１の状態でラインに提供される。台シート素材９１は、一定の間隔で幅方向ミシン目９１１が形成されており、幅方向ミシン目９１１を破断することで個々の台シート７１が得られるものである。
【００２５】
台シート素材９１は、不図示のロールに巻かれたものが送り出され、情報カードシートとなる各領域が順次移送され、順次各工程が行われる。図６に示すように、製作工程は、まず台シート素材９１への積層体シート１３０の貼り付けによって開始される。積層体シート１３０は、図３に示す積層体１３とこれを覆う剥離シート７５とから成るものである。台シート素材９１は、裏面が上側になるように送り出される。したがって、積層体シート１３０は、台シート素材９１に対して上側から貼り付けられる。
【００２６】
積層体シート１３０は、上述した擬似接着層４を含むものであり、製作する情報カードシートにおいて重要な資材である。積層体シート１３０は、擬似接着材を含むシート素材を製造、販売する会社から容易に入手できる（例えば、王子タック（株）の擬似接着（リード）製品シリーズ等）。積層体シート１３０は、ロール状に巻かれた細長い帯状の積層体シート素材１３１の形で提供され、少しずつ引き出しながら使用する。積層体シート素材１３１は、積層体１３を一対の剥離シート７５,１３２で挟んだ断面構造となっている。即ち、積層体シート素材１３１から一方の剥離シート１３２を取り除き、所定の長さで切断したものが積層体シート１３０になる。積層体シート素材１３１は、一方の剥離シート１３２を除き全体に所定間隔で切り込みが入った構造になっている。図６に示すように、不図示のロボットのアームにより、積層体シート素材１３１から一個ずつ積層体シート１３０が剥がされ、台シート素材９１に貼り付けられる。この貼り付けは、台シート素材９１のうち情報カードシートとなる個々の領域内の所定の箇所である。尚、切り込みが入っていない一方の剥離シート１３１は、図６に示すように帯状に残留し、廃棄される。他方の剥離シート７５は、積層体シート１３０を構成する。
【００２７】
積層体シート１３０の貼り付けの後、印刷、折り曲げ線１０，７４の形成、ミシン目７３の形成が順次行われる。これらの各工程は、順序が入れ替わっても構わない。印刷は、主としては表側の面（図６では下側の面）に対して行われるが、前述した秘匿情報の記載欄用に印刷をする場合、裏面に行われる。また、積層体１３０は、台シート素材９１のうち、カード素材７２のシート素材１の第二の片部１２となる部位を被うよう貼り付けられるが、第二の片部１２の表面（第二の内側面１２０）に印刷をする場合、この印刷は、積層体シート１３０の貼り付けの前の工程で行われる。折り曲げ線１０は、例えばプレス刃を所定の位置まで当てることで行われ、ミシン目７３の形成は、形成するミシン目の形のカッター刃を押し当てることで行われる。その後、幅方向ミシン目９１１を破断し、移送用ピン孔が形成された両端部９１２を切り離せば、一つの情報カードシートが得られる。
【００２８】
前述した上記構成に係る本実施形態の情報カードシートの送付方法の長所について、他の実施形態と比較しながら説明する。図７は、本願発明の他の実施形態に係る情報カードシートの斜視概略図である。図７の実施形態では、折り曲げ後のシート基材１の長辺の方向に沿って折り曲げ線１０が設定されている。情報カードシートはこのような構成であっても良く、本願発明の情報カードを得ることはできるものの、前述したように、折り曲げの際のミスの少なさという点では前述した実施形態に劣る。
【００２９】
一方、この実施形態の場合、カード素材７２は全体に細長くはならないため、折り曲げなくとも定型封筒に収容することができる。封入の際の折り曲げ動作が不要であるという点では、前述した実施形態より優れていると言える。
しかしながら、定型封筒に入れることができる台シート７１の幅には制限があり、それほど幅の広い台シート７１を使用することができない。この場合、提供する情報カードの大きさによっては、カード素材７２の幅（図５にｄで示す）が大きくなり、台シート７１の縁とのマージン（図５にｍで示す）が少ししか取れないことがあり得る。マージンが小さくなると、印刷機のタイプによっては印刷が行えないこともあり得る。
【００３０】
一方、図３及び図４に示す実施形態の情報カードシートでは、折り曲げ後のカード素材７２の短辺の方向に沿って折り曲げ線１０が設定されており、カード素材７２そのものがかなり細長いものになる。したがって、定型封筒に入れられる台シート７１の幅よりも十分に狭い幅のカード素材７２とすることができる。このため、幅方向で大きなマージンを取ることができ、印刷機のタイプで制約を受けることが無くなる（選択の自由度が高い）。
カード素材７２が細長いものとなるため、上述したように、カード素材７２及び台シート７１を折り曲げて定型封筒に入れているが、折り曲げて送付すること自体が別のメリットを有する。即ち、カード素材７２が折り曲げられた状態で封入されて送付されると、折ぐせがついた状態で提供されることになる。このため、送付された者においてカード素材７２が折り曲げ易く、折り曲げのミスによりカードの端がずれて貼り合わされてしまうことが無くなる。
【００３１】
上述したように、実施形態の情報カードによれば、折り曲げ線１０で折り曲げて閉じた内側面に秘匿情報が記載されており、一回に限り開いてみることができるので、カードの裏面については従来通りの非秘匿情報の記載用に使用することができる。即ち、非秘匿情報の記載エリアを減らすことなく情報カードに秘匿情報の保持の機能を持たせることができる。また、折り曲げ線１０が折り曲げ前のシート基材１の長方形の短辺の方向に沿ったものであり、折り曲げ線１０の長さが短いので、折り曲げミスが少なくなる。
【００３２】
また、情報カードシートにおいては、台シート７１をくり抜くことでカード素材７２が台シート７１から分離されるので、秘匿情報の記載が容易で、且つ構造も簡単にできる。即ち、カード素材７２が台シート７１に貼り付けられた状態で提供されるようにしても良いのであるが、この場合、カード素材７２は台シート７１に擬似接着された状態とする必要がある（通常の接着の場合、剥がすと接着面がベトつくので不可）。擬似接着の場合、剥がされて分離する表面はＰＥＴやＰＥのような樹脂の面とする必要があり、上記の例では、剥がされて分離するシート素材の表面は樹脂面とする必要がある。この表面に秘匿情報を記載することになるが、つるつるした表面となるため、記載がしづらい。尚、剥がされて分離する表面ではなく反対側の面を秘匿情報の記載面とすることも考えられる。しかし、剥がされて分離する面は台シート７１に覆われていた面であって、この面に非秘匿情報を予め印刷する必要があり、採用不可の構成である。上記実施形態のように、くりぬきによってカード素材７２を得る構造であると、折り曲げる前の内側面を普通の紙（又は紙以外の書き易い材質）の面とすることができ、秘匿情報の記載が容易である。
【００３３】
また、剥離により台シート７１からカード素材７２を得る構造では、台シート７１とカード素材７２との擬似接着のための層に加え、上記カード素材７２の折り曲げと開きのための擬似接着層４とを形成する必要があり、非常に複雑な構造にしなければならない。くりぬきの場合にはこのような欠点はなく、構造の複雑化が避けられる。
さらに、上記実施形態では、情報カードは、折り曲げて閉じた後のシート基材１の長方形の短辺の方向に沿って折り曲げ線１０が設定されており、情報カードシートにおけるカード素材７２が細長いものとなっているので、定型封筒に入る台シート７１内に作り込むことが容易である。そして、実施形態の送付方法は、カード素材７２が折り曲げられた状態で（折りぐせが付いた状態で）送付されるので、秘匿情報を記載した後の折り曲げ・閉じの動作が容易にミス無く行えるという長所がある。
【００３４】
次に、上記以外の他の実施形態について説明する、図８は、他の実施形態の情報カードの断面概略図である。
図１に示す実施形態では、第一第二の二つの中間層３，５があったが、中間層は一つであっても実施は可能である。この構成が図８に示されている。図８（１）に示す実施形態では、第一の接着層２と擬似接着層４との間に中間層３０が形成され、擬似接着層４と第二の接着層６は直接接している。即ち、第二の接着層６は、擬似接着層４と第二の片部１２とを接着したものとなっている。また、図８（２）に示す実施形態は、第一の接着層２と擬似接着層４とが直接接しており、擬似接着層４と第二の接着層６との間に中間層５０が形成された構造となっている。即ち、第一の接着層２は、第一の片部１１と擬似接着層４とを接着したものとなっている。
【００３５】
図８（１）に示す情報カードを開いて擬似接着を解除しようした場合、擬似接着層４は第二の片部１２に対しては第二の接着層６により強固に接着されているため、擬似接着層４と中間層３０との間の接着が解除される。即ち、第一の片部１１の上に第一の接着層２、中間層３０が載った状態となり、第二の片部１２の上に第二の接着層５、擬似接着層４が載った状態となる。また、図８（２）に示す情報カードを開いた場合、擬似接着層４は第一の接着層２により第一の片部１１に強固に接着されているため、第一の片部１１の上に第一の接着層２、擬似接着層４が載り、第二の片部１２の上に第二の接着層６、中間層５０が載った状態となる。
【００３６】
また、上記各実施形態では、情報カードは、長方形のシート基材１を中央の折り曲げ線１０で二つに折り曲げて閉じたものであって、閉じた後の形状も長方形であったが、閉じた内側面に秘匿情報を記載するという点については、情報カードの形状が長方形である必要はなく、正方形や、三角形、円形、楕円形等であっても良い。したがって、折り曲げる前のシート基材の形状も、正方形であっても良く、三角形や円形等の形状も二つ繋げた形状（繋ぎ部分に折り曲げ線が設定される）でも良い。
尚、情報カードシートを折り曲げて封入する方法は前述したような効果を有するが、台シートの折り曲げ位置は、カード素材の折り曲げ線とは異なる位置であってもよく、カード素材自体は折り曲げないで送付するようにしても良い。
【００３７】
また、秘匿情報の記載欄については、○で囲むとか、何らかの情報を記載するブランク枠が印刷されているとかの構成の他、単に内側面が秘匿情報の記載欄として指定されているだけの構成であっても良い。
尚、台シートにおいてカード素材を保持する保持部の構成は、前述したミシン目の他、挟みで切るための切り取り線が単に設けられた構成であっても良い。
【産業上の利用可能性】
【００３８】
本願発明は、上述した効果を有するものであり、健康保険証や免許証、社員証、学生証等の身分証になり得るカード、各種会員カードや病院の診察券、販売促進用のポイントカード等の各種カードについて適用が可能であり、幅広い産業上利用可能性を有する。
【符号の説明】
【００３９】
１  シート基材
１０  折り曲げ線
２  第一の接着層
３  第一の中間層
４  擬似接着層
５  第二の中間層
６  第二の接着層
７１  台シート
７２  カード素材
７３  ミシン目
７４  台シート折り曲げ線
【図１】
2013000915.tif 000003
【図２】
2013000915.tif 000004
【図３】
2013000915.tif 000005
【図４】
2013000915.tif 000006
【図５】
2013000915.tif 000007
【図６】
2013000915.tif 000008
【図７】
2013000915.tif 000009
【図８】
2013000915.tif 000010